(57)【要約】【課題】使用者が誤って不適合水を補水することに対する抑止力を設けることで、不適合水の成分に起因した不具合を回避し、鉛蓄電池に全うな特性を発揮させる。【解決手段】正極板と負極板とをセパレータを介して積層した極板群と、極板群と電解液とを収納するためのセル室を複数個有する電槽と、セル室の直上に液口を有しつつ電槽の開口部を封口する蓋と、液口を塞ぐ液口栓と、基材と粘着層とからなり全ての液口栓を塞ぐように蓋に貼り付けられた略矩形のラベルとからなり、基材を断続的に分断するミシン目によって、ラベルは四隅を含む部位と液口栓の直上を含む部位とが区分されている。【選択図】図２
2016105352.tif 000002
【特許請求の範囲】
【請求項１】
正極板と負極板とをセパレータを介して積層した極板群と、
極板群と電解液とを収納するためのセル室を複数個有する電槽と、
セル室の直上に液口を有しつつ電槽の開口部を封口する蓋と、
液口を塞ぐ液口栓と、
基材と粘着層とからなり全ての液口栓を塞ぐように蓋に貼り付けられた略矩形のラベルと、からなり、
前記ラベルは、前記基材を断続的に分断するミシン目によって、四隅を含む部位と前記液口栓の直上を含む部位とが区分されている、鉛蓄電池。
【請求項２】
前記正極板は、正極活物質と、エキスパンド格子とからなる、請求項１に記載の鉛蓄電池。
【請求項３】
前記電槽、前記蓋あるいは前記ラベルの少なくとも１つに、前記ラベルを無断で剥がさない旨の注記がなされた、請求項１に記載の鉛蓄電池。
【請求項４】
請求項１に記載の鉛蓄電池と、鉛蓄電池を梱包する箱とからなり、
前記箱に、前記ラベルを無断で剥がさない旨の注記がなされた、鉛蓄電池の梱包体。
【請求項５】
請求項１に記載の鉛蓄電池と、鉛蓄電池を梱包する箱と、説明書とからなり、
前記説明書に、前記ラベルを無断で剥がさない旨の注記がなされた、鉛蓄電池の梱包体。
【発明の詳細な説明】
【技術分野】
【０００１】
本発明は、電解液の補水を行うタイプの鉛蓄電池に関する。
【背景技術】
【０００２】
自動車の始動用などに用いられる鉛蓄電池は、正極板と負極板とをセパレータを介して積層した極板群と、極板群と電解液とを収納するためのセル室を複数個有する電槽と、セル室の直上に液口を有しつつ電槽の開口部を封口する蓋と、液口を塞ぐ液口栓とからなる。そして電解液が減少すると、液口栓を外して液口から補水し、再び液口に液口栓を取り付ける。この煩雑な補水の機会を減らすために、特許文献１および２をはじめとして、基材と粘着層とからなるラベルを、全ての液口栓を塞ぐように蓋に張り付けることで、電解液の損失を防ぐ技術が知られている。
【先行技術文献】
【特許文献】
【０００３】
【特許文献１】特開２００７−２５７９１５号公報
【特許文献２】特開２００７−２１３８９５号公報
【発明の概要】
【発明が解決しようとする課題】
【０００４】
ところで特許文献１や２の技術を用いても、補水の機会は減るものの、鉛蓄電池が寿命に達するまでに少なくとも１回は補水することになる。この補水の機会は、高温下など過酷な条件の下で多くなる。そして補水に適した水は、溜まり水や水道水のように不特定の成分を含んだ水（以下、本明細書では「不適合水」と称する）ではなく、ある程度これらの不特定な成分を取り除いた水（以下、本明細書では「適合水」と称する）である。適合水は、鉛蓄電池の専門知識を有する修理店などの業者に配備されており、通常の使用者（車の運転手）はこれらのルートを介して、適切な補水を行う。
【０００５】
ところが使用者の一部は、上述したような知識を有しておらず、電解液が減少した際に、ラベルを剥がした上で液口栓を外し、液口から不適合水を補水する虞がある。そうすると、不適合水に含まれた成分の作用（主に金属イオンの析出）により充電電流が増加し、正極板が腐食して膨張することで内部短絡などの不具合が発生し、鉛蓄電池の使用年数が極端に短くなってしまう。この不具合は、正極板に外周の全てが枠骨で覆われていないエキスパンド格子を用いた際に、より顕著となる。
【０００６】
本発明は、かかる課題に鑑みなされたもので、使用者が誤って不適合水を補水することに対する抑止力を設けることで、不適合水の成分に起因した不具合を回避し、鉛蓄電池に全うな特性を発揮させることを目的とする。
【課題を解決するための手段】
【０００７】
本発明に係る鉛蓄電池は、正極板と負極板とをセパレータを介して積層した極板群と、極板群と電解液とを収納するためのセル室を複数個有する電槽と、セル室の直上に液口を有しつつ電槽の開口部を封口する蓋と、液口を塞ぐ液口栓と、基材と粘着層とからなり全ての液口栓を塞ぐように蓋に貼り付けられた略矩形のラベルとからなり、基材を断続的に分断するミシン目によって、ラベルは四隅を含む部位と液口栓の直上を含む部位とが区分されている。
【０００８】
ある好適な実施形態において、正極板は、正極活物質と、エキスパンド格子とからなる。
【０００９】
ある好適な実施形態において、電槽、蓋あるいはラベルの少なくとも１つに、ラベルを無断で剥がさない旨の注記がなされている。
【００１０】
またある好適な実施形態において、ラベルを無断で剥がさない旨の注記は、鉛蓄電池本体ではなく、鉛蓄電池を梱包する箱あるいは説明書になされている。
【発明の効果】
【００１１】
本発明によれば、専門知識を有さない使用者が誤って不適合水を補水することに対する抑止力を設けられるので、不適合水の成分に起因した不具合を回避し、鉛蓄電池に全うな特性を発揮させることができるようになる。
【図面の簡単な説明】
【００１２】
【図１】（ａ）本発明の鉛蓄電池を模式的に示した概観図（ｂ）同左
【図２】本発明の鉛蓄電池の要部の一例を示した模式図
【図３】本発明の鉛蓄電池の要部の他の一例を示した模式図
【図４】本発明の鉛蓄電池の要部の他の一例を示した模式図
【図５】本発明の鉛蓄電池の要部の他の一例を示した模式図
【発明を実施するための形態】
【００１３】
以下、本発明の実施形態を図面に基づいて詳細に説明する。
【００１４】
図１（ａ）（ｂ）は、本発明の鉛蓄電池を模式的に示した概観図である。鉛蓄電池は、正極板１ａと負極板１ｂとをセパレータ１ｃを介して積層した極板群１と、極板群１と電解液（図示せず）とを収納するためのセル室２ａを複数個有する電槽２と、セル室２ａの直上に液口３ａを有しつつ電槽２の開口部を封口する蓋３と、液口３ａを塞ぐ液口栓４と、基材と粘着層とからなり全ての液口栓４を塞ぐように蓋３に貼り付けられた略矩形のラベル５とからなる。
【００１５】
図２〜５は、本発明の鉛蓄電池の要部の一例を示した模式図である。ラベル５は、基材を断続的に分断するミシン目５ａによって、四隅を含む部位Ａと液口栓４の直上を含む部位Ｂとが区分されている。
【００１６】
各特許文献に示されているように、ラベル５で蓋３（液口栓４）を覆うことで、結露した水分を戻すなどの効果によって電解液の損失をある程度防ぐことはできる。しかしこの技術を用いても、補水の機会は減るものの、鉛蓄電池が寿命に達するまでに少なくとも１回は補水することになる。この際、不特定の成分を含まない適合水を補水すべきである。そこで通常の使用者は、鉛蓄電池の専門知識を有する修理店などの業者に依頼して、配備されている適合水を補水することになる。
【００１７】
ところが使用者の一部は上述したような知識を有していないので、電解液が減少した際に、ラベル５を剥がした上で液口栓４を外し、液口３ａから不特定の成分を含む不適合水を補水する虞がある。そうすると、不適合水に含まれた成分の作用（主に金属イオンの析出）により、内部短絡などの不具合が発生して鉛蓄電池の使用年数が極端に短くなってしまう。
【００１８】
このような誤った補水の機会は、高温下など過酷な条件の下で多くなる。また鉛蓄電池が製造元の不慮の不具合によって使用期間が短くなった際の保証（ワランティ）を設定して売買している一部の国や地域において、このような誤った補水を立証できない場合、鉛蓄電池の製造元に責を負わない理由（不適合水の補水）によって製造元が余分な保証金を支払う機会が増えるため、鉛蓄電池業界が無意味に疲弊して産業の発展を妨げることにも繋がる。
【００１９】
そこで本実施形態では、鉛蓄電池本体（電槽２、蓋３またはラベル５）、鉛蓄電池を梱包する箱、あるいは鉛蓄電池とともにこの箱に同梱された説明書のうち少なくとも１つに、ラベル５を無断で剥がさない旨の注記をするとともに、使用者が誤って不適合水を補水することに対する抑止力を設けるために、基材を断続的に分断するミシン目５ａによって、ラベル５を、四隅を含む部位Ａと液口栓４の直上を含む部位Ｂとに区分している。
【００２０】
ラベル５は様々な形状にすることができるが、台紙からの剥がしやすさや、台紙上での歩留を考えた場合、略矩形とするのが好ましい。液口栓４を塞ぐように蓋３に貼り付けられたラベル５を剥がして液口栓４を露出させ、補水を行おうとした場合、ラベル５が略矩形であれば、四隅のいずれかから剥がすことになる。ところが四隅を含む部位Ａから液口栓４の直上を含む部位Ｂへとラベル５を剥がそうとしても、基材を断続的に分断するミシン目５ａによって、ラベル５は一度、分断されてしまう。
【００２１】
そうすると、補水に対する知識が欠ける使用者であっても、ミシン目５ａでラベル５が容易に分断されることに気付くため、ラベル５を無断で剥がすことに対する抑止力が生じる。
【００２２】
一方、製造元がワランティを設定している鉛蓄電池において、誤って使用者が勝手に補水を行おうとしても、ミシン目５ａによって部位Ａと部位Ｂとが分断される。すなわち使用者が、ラベル５を無断で剥がさない旨の注記があるにもかかわらず、自己の責においてラベル５を無断で剥がそうとしたことが立証できるので、製造元が余分な保証金を支払う必要がなくなる。
【００２３】
図２は、四隅の全てを含む形で外周部と内部とをミシン目５ａで分断し、外周部を部位Ａ、内部を部位Ｂとした形態である。この形態は、使用者が故意に不適合水を補水しようとした場合、部位Ａを剥がさずに部位Ｂを剥がすことができないので、ミシン目５ａの一部を分断させる確率が高くなり、ワランティの対象外となる行為を行った際の立証性がより高くなる。
【００２４】
図３は、四隅の全ての近傍を分断するようにミシン目５ａを設け、分断された各々の四隅を部位Ａ、それ以外を部位Ｂとした形態である。仕向地別に注記の内容を変更する場合には、ラベル５自体に無断で剥がさない旨の注記を基材に印刷するのが好ましいが、この基材の一部をミシン目５ａで分断してしまうと、注記の内容が不明瞭になる虞がある。ここで図３のように、四隅の全ての近傍のみにミシン目５ａを設けると、注記を印刷できる面積を大きく採ることができるようになる。
【００２５】
図４は、複数の液口栓４が並ぶ列の両側にミシン目５ａを設け、四隅のうち二隅ずつを含む２つの領域を部位Ａ、それ以外を部位Ｂとした形態である。ラベル５は蓋３などとは別の部材として加工される。ここで図４のように、ラベル５にミシン目５ａを直線状に設ける構成ならば、ラベル５をミシン目５ａと同じ方向に連続加工できるので、ピッチを決めた送り加工が不要である分だけ、他の形態と比べて生産性が大幅に向上できる。
【００２６】
図５は、液口栓４の最上部より面積が大きくなるように個々にミシン目５ａを設け、このミシン目５ａに囲まれた各々の領域を部位Ｂ、それ以外を部位Ａとした形態である。この形態は、他の形態と比べて加工性に劣るものの、図２の形態の利点である「ワランティの対象外となる行為を行った際の立証性が高い」ことと、図３の形態の利点である「注記を印刷できる面積が大きい」こととを、両立できるようになる。
【００２７】
鉛蓄電池は高温なエンジンルーム内で使用されるので、高温下での使用に好適な材質でラベル５を構成することになる。基材は、ポリプロピレンなどの合成樹脂繊維からなる合成紙などが好ましい。粘着層は、高温環境下での剥がれ難さから、アクリル系などが好ましい。
【００２８】
上述したラベル５を用いる形態は、正極板１ａとして、エキスパンド格子に正極活物質を充填した構成との組合せが好ましい。原材料の使用量が少なく高速での生産が可能なエキスパンド格子は、鋳造格子とは異なり外周の全てが枠骨で覆われていないので、充放電を繰り返すことにより、正極活物質を支えている格子骨が伸びやすい傾向がある。仮に使用者が故意にラベル５を剥がして不適合水を補水した場合、前述したように内部短絡が発生しやすくなる。すなわち上述した実施形態とエキスパンド格子に正極活物質を充填した正極板１ａとの組合せは、これまで述べてきた効果をさらに顕著にするという観点から、より好ましい形態と言える。
【００２９】
以上、本発明を好適な実施形態により説明してきたが、こうした記述は限定事項ではなく、もちろん、種々の改変が可能である。
【産業上の利用可能性】
【００３０】
本発明は、電解液の補水を行うタイプのあらゆる鉛蓄電池において有用である。
【符号の説明】
【００３１】
１      極板群
１ａ    正極板
１ｂ    負極板
１ｃ    セパレータ
２      電槽
２ａ    セル室
３      蓋
３ａ    液口
４      液口栓
５      ラベル
５ａ    ミシン目
【図１】
2016105352.tif 000003
【図２】
2016105352.tif 000004
【図３】
2016105352.tif 000005
【図４】
2016105352.tif 000006
【図５】
2016105352.tif 000007